(57)【要約】【課題】上弁体と下弁体が同時に上弁口と下弁口に着座できるフロート式ドレントラップを提供する。【解決手段】本体１と蓋体２と弁座部材９からなるケーシングで入口４と弁室３と出口１１を形成する。弁室３と出口１１を連通する上下同一軸上の上弁口１２及び下弁口１３を弁座部材９に設ける。上弁口１２を開閉する上弁体２２を上弁口１２の上方の弁室３内に配置し、下弁口１３を開閉する下弁体１５を下弁口１３の上方の出口１１側に配置し、上弁体２２の上方の弁室３側にフロート１４を配置する。フロート１４と上弁体２２をねじ結合して連結する。下弁体１５の上面に一体に下弁体上案内棒１６を形成する。上弁体２２が上弁口１２に着座し下弁体１５が下弁口１３に着座した位置において、下弁体上案内棒１６の上端面は上弁体２２の下端面に当接する。【選択図】　　　　　　図１
2004019747.tif 000002
【特許請求の範囲】
【請求項１】
ケーシングで入口と弁室と出口を形成し、弁室と出口を連通する上下同一軸上の上弁口及び下弁口を設け、上弁口を開閉する上弁体を上弁口の上方の弁室内に配置し、下弁口を開閉する下弁体を下弁口の上方の出口側に配置し、上弁体に連結して弁室内にフロートを配し、上弁体の下端面と下弁体の上端面を当接させたことを特徴とするフロート式ドレントラップ。
【発明の詳細な説明】
【０００１】
【発明の属する技術分野】
本発明は、弁室内に収容したフロートの浮上降下によって弁室と出口を連通する弁口を開閉し、蒸気や圧縮空気及びガス配管系に発生する復水や凝縮水等のドレンを自動的に排出するフロート式ドレントラップに関し、特に、開口面積の大きな弁口を開閉できるフロート式ドレントラップに関する。
【０００２】
【従来の技術】
開口面積の大きな弁口を開閉できる従来のフロート式ドレントラップは、例えば特開昭５３−１３２７号公報に示されている。当該公報から理解されるように、ケーシングで入口と弁室と出口を形成し、弁室と出口を連通する上下同一軸上の上弁口及び下弁口を設け、上弁口を開閉する上弁体を上弁口の上方の弁室内に配置し、下弁口を開閉する下弁体を下弁口の上方の出口側に配置し、上弁体と下弁体をねじ結合し、上弁体に連結して弁室内にフロートを配したものであり、上弁体と下弁体に弁室と出口の流体圧力を逆向きに作用させることによって、上弁口及び下弁口からなる開口面積の大きな弁口を開閉できるものである。
【０００３】
【発明が解決しようとする課題】
上記従来のフロート式ドレントラップにおいては、上弁体と下弁体の結合部を高精度に加工しても、上弁体と下弁体を結合するときのねじ込み量やねじ込み角度のずれによって、上弁体と下弁体が同時に上弁口と下弁口に着座できなくなる問題点があった。
【０００４】
従って、本発明の技術的課題は、上弁体と下弁体が同時に上弁口と下弁口に着座できるフロート式ドレントラップを提供することである。
【０００５】
【課題を解決するための手段】
上記の技術的課題を解決するために講じた本発明の技術的手段は、ケーシングで入口と弁室と出口を形成し、弁室と出口を連通する上下同一軸上の上弁口及び下弁口を設け、上弁口を開閉する上弁体を上弁口の上方の弁室内に配置し、下弁口を開閉する下弁体を下弁口の上方の出口側に配置し、上弁体に連結して弁室内にフロートを配し、上弁体の下端面と下弁体の上端面を当接させたことを特徴とするフロート式ドレントラップにある。
【０００６】
【発明の実施の形態】
本発明のフロート式ドレントラップは、上弁体と下弁体をねじ結合せず、上弁体の下端面と下弁体の上端面を当接させたものであるので、上弁体と下弁体が同時に上弁口と下弁口に着座できる。
【０００７】
【実施例】
上記の技術的手段の具体例を示す実施例を説明する（図１参照）。本体１に蓋体２をボルト等の締結手段（図示せず）で固着し、内部に弁室３を有するケーシングを形成する。本体１の上部に入口４を形成し、隔壁５で仕切られた流入通路６を通して弁室３に連通せしめる。隔壁５の上端には通気孔７を開ける。
【０００８】
本体１に弁座部材口８を開け、弁室３に突出する弁座部材９をボルト等の締結手段（図示せず）で固着する。弁座部材９にその内部に形成した流出通路１０を通して連通する出口１１を形成する。弁座部材９の上壁に上弁口１２を開け、下壁に下弁口１３を開ける。弁室３は上弁口１２と下弁口１３から流出通路１０を通して出口１１に連通する。下弁口１３は上弁口１２の下方で上弁口１２と同一軸上に形成する。また、下弁口１３の開口面積は上弁口１２の開口面積と同一あるいは僅かに小さく形成する。
【０００９】
上弁口１２の上方の弁室３側に上弁口１２を開閉する上弁体２２を配置し、下弁口１３の上方の出口１１側に下弁口１３を開閉する下弁体１５を配置し、上弁体２２の上方の弁室３側にフロート１４を配置する。フロート１４の下面に形成した下部突起に上弁体２２の上面に一体に形成した上弁体案内棒２３の上端をねじ結合してフロート１４と上弁体２２を連結する。下弁体１５の上面に一体に下弁体上案内棒１６を形成し、下面に一体に上案内棒１６と同一軸上に下弁体下案内棒１７を形成する。上弁体２２が上弁口１２に着座し下弁体１５が下弁口１３に着座した位置において、下弁体上案内棒１６の上端面は上弁体２２の下端面に当接する。上弁体案内棒２３は弁座部材９に固着した上弁体支持部材２４で上下方向に摺動案内し、下弁体上案内棒１６は弁座部材９に固着した上支持部材１８で上下方向に摺動案内し、下弁体下案内棒１７は弁座部材９に固着した下支持部材１９で上下方向に摺動案内する。フロート１４は蓋体２と弁座部材９の間に固着した多数の連通孔を有する支持筒２０で上下方向に摺動案内する。
【００１０】
上記実施例の作用は下記の通りである。
図示の状態は、入口４から流入通路６を通して弁室３に流入するドレンが少なく、フロート１４が降下して上弁体２２が上弁口１２に着座すると共に、フロート１４の降下に伴って下弁体１５が押し下げられて下弁口１３に着座した閉弁状態を示している。入口４から流入通路６を通して弁室３に流入するドレンにより弁室３の液面が上昇すると、液面上昇に伴ってフロート１４が浮上して上弁体２２が上弁口１２から離座すると共に、フロート１４の浮上に伴って下弁体１５が弁室３の流体圧力により持ち上げられて下弁口１３から離座し、上弁口１２と下弁口１３を開けて弁室３のドレンを流出通路１０から出口１１に排出する。上弁体２２と下弁体１５に弁室３と出口１１の流体圧力を逆向きに作用させることによって、上弁口１２及び下弁口１３からなる開口面積の大きな弁口を開閉できる。
【００１１】
ドレンの排出により弁室３の液面が低下すると、液面低下に伴ってフロート１４が降下して上弁体２２が上弁口１２に着座すると共に、フロート１４の降下に伴って下弁体１５が押し下げられて下弁口１３に着座した閉弁状態に戻る。
【００１２】
【発明の効果】
本発明は下記の特有の効果を生じる。
上記のように本発明によるフロート式ドレントラップは、上弁体と下弁体をねじ結合せず、上弁体の下端面と下弁体の上端面を当接させたものであるので、上弁体と下弁体が同時に上弁口と下弁口に着座、蒸気や圧縮空気やガスを漏洩することがないという優れた効果を生じる。
【図面の簡単な説明】
【図１】本発明の実施例のフロート式ドレントラップの断面図である。
【符号の説明】
１　　本体
２　　蓋体
３　　弁室
４　　入口
９　　弁座部材
１１　　出口
１２　　上弁口
１３　　下弁口
１４　　フロート
１５　　下弁体
２２　　上弁体
【図１】
2004019747.tif 000003